(57)【要約】【課題】記録媒体駆動部（ドライブ）のコストをアップさせずにシンプルかつ耐久性のある構造を有し、カバーを変形させ、傷つける危険の少ないトレイのカバー剥離機構を実現するものである。【解決手段】情報記録媒体を内部に有したカバー付トレイのカバーをローディング動作に対応させてカバーをガイド部に導入して剥離させるようにしている。そして、そのガイド部において、ガイド中のカバーがガイド面に接触する面積が、ガイド面全体の面積よりも小さくなっている。例えば、ガイド面が凹凸形状や櫛型形状をなすことにより、ガイド面とカバーとの接触面積がガイド面全体の面積よりも小さくする。【選択図】図９
2008293590.tif 000002
【特許請求の範囲】
【請求項１】
カートリッジに収納されたカバー付トレイに載置された薄型情報記録媒体に対して情報の記録及び／又は再生を行う情報記録再生装置であって、
前記カートリッジから前記カバー付トレイを取り出し、かつ、前記カバー付トレイを前記カートリッジに収納する、トレイローディング手段と、
前記カバー付トレイに載置された前記薄型情報記録媒体に対して、情報の記録及び／又は再生を行う記録再生部と、を備え、
前記トレイローディング手段は、
前記カートリッジと前記記録再生部における記録再生動作位置との間を、前記カバー付トレイを移動させるトレイ移動手段と、
前記トレイ移動手段によるカバー付トレイの移動に対応して、前記カバー付トレイのカバーを剥離してカバーガイド部にガイドし、前記薄型情報記録媒体を露出させるカバー剥離手段と、を有し、
前記カバーガイド部のガイド面における前記カバーとの接触部分の面積が、前記カバーガイド部全体の面積よりも小さいことを特徴とする情報記録再生装置。
【請求項２】
前記カバーガイド部のガイド面は凹凸形状をなしていることを特徴とする請求項１に記載の情報記録再生装置。
【請求項３】
前記カバーガイド部のガイド面は櫛型形状をなしていることを特徴とする請求項１に記載の情報記録再生装置。
【請求項４】
前記カバー剥離手段は、前記カバーの開口端を前記カバー付トレイから持ち上げるカバー持ち上げ手段を有し、
前記カバーガイド部が、前記カバー付トレイの移動に従ってカバー持ち上げ手段によって持ち上げられたカバーの下に入り込み、前記カバー付トレイの前記記録再生動作位置への移動に伴って前記カバーを剥離して前記薄型情報記録媒体を露出させることを特徴とする請求項１乃至３の何れか１項に記載の情報記録再生装置。
【発明の詳細な説明】
【技術分野】
【０００１】
本発明は、情報記録再生装置に関し、例えば、薄型情報録媒体用カバー付トレイをローディングする機構を有する情報記録再生装置に関するものである。
【背景技術】
【０００２】
近年、コンピュータ用情報のみならず、音声や静止画像、動画像などの情報を保存するための記録媒体として光情報記録媒体が実用化されている。例えば非特許文献１に示されるように、１．２ｍｍ厚の光ディスクを３ｍｍ厚のトレイに入れ、それを複数段重ねたディスクカートリッジ（ディスクの変形を防ぐ全周受けトレイ式マガジン）が製品化されている。このように、光情報記録媒体は更なる高密度化や高速転送化に向け開発が進められているが、同時に記録再生を行うドライブ装置の将来的な形としての薄型化や小型化、あるいは媒体収納時の軽量小型化等を見据えると、光情報記録媒体自体の厚みはより薄いほうが望ましい。そして、その実現を狙って厚さ０．３ｍｍ以下の薄型情報記録媒体の開発が進められている。この薄型情報記録媒体は、薄いトレイに搭載し、さらにそれを複数枚積層してカートリッジの内部に納める。再生時はカートリッジから任意のカバー付トレイを引き出し、そのトレイ上にある任意のディスクを装置までハンドリングして装着させて記録や再生が行われる。なお、このトレイのカバーは、ディスクをカートリッジに収納する際に薄型情報記録媒体に傷がつかないようにするためのものである。
【０００３】
ところで、傷から媒体を保護するためのカバーは、ドライブで記録再生を行うときにはトレイから剥離させてなければ薄型情報記録媒体を取り出して記録再生することができない。カバーをトレイから剥離させるには、特許文献１で開示されているように、ローラを用いてカバーの端からめくり上げる機構などが考えられる。
【０００４】
【非特許文献１】http://www.jvc-victor.co.jp/pro/library/product/mc-9200/option.html「ディスクの変形を防ぐ全周受けトレイ式マガジン」
【特許文献１】特開２００４−１３４０１９号公報
【発明の開示】
【発明が解決しようとする課題】
【０００５】
しかしながら、カバーをめくり上げる機構を実現するために、別途ソレノイド、ロボットアーム、モーターやギア、ゴムローラ、或いはそれらの制御回路やソフトなどを使う機構を設けると、装置構成も複雑化し、コストアップにもつながる。さらには部品点数が増えた分、故障箇所も増えるといったリスクを持つことになる。
【０００６】
また、特許文献１に記載の機構はローラを用いてカバーをめくり上げているので、カバーが変形したり、傷ついたりする危険性がある。
【０００７】
本発明はこのような状況に鑑みてなされたものであり、記録媒体駆動部（ドライブ）のコストをアップさせずにシンプルかつ耐久性のある構造を有し、カバーを変形させ、傷つける危険の少ないトレイのカバー剥離機構を実現するものである。
【課題を解決するための手段】
【０００８】
上記課題を解決するために、本発明では、情報記録媒体を内部に有したカバー付トレイのカバーをローディング動作に対応させてカバーをガイド部に導入して剥離させるようにしている。そして、そのガイド部において、ガイド中のカバーがガイド面に接触する面積が、ガイド面全体の面積よりも小さくなっている。例えば、ガイド面が凹凸形状や櫛型形状をなすことにより、ガイド面とカバーとの接触面積をガイド面全体の面積よりも小さくする。
【０００９】
即ち、本発明による情報記録再生装置は、カートリッジに収納されたカバー付トレイに載置された薄型情報記録媒体に対して情報の記録及び／又は再生を行う情報記録再生装置であって、カートリッジから前記カバー付トレイを取り出し、かつ、カバー付トレイをカートリッジに収納する、トレイローディング手段と、カバー付トレイに載置された薄型情報記録媒体に対して、情報の記録及び／又は再生を行う記録再生部と、を備え、トレイローディング手段は、カートリッジと記録再生部における記録再生動作位置との間を、カバー付トレイを移動させるトレイ移動手段と、トレイ移動手段によるカバー付トレイの移動に対応して、カバー付トレイのカバーを剥離してカバーガイド部にガイドし、薄型情報記録媒体を露出させるカバー剥離手段と、を有し、カバーガイド部のガイド面におけるカバーとの接触部分の面積が、カバーガイド部全体の面積よりも小さいことを特徴とする。
【００１０】
さらなる本発明の特徴は、以下本発明を実施するための最良の形態および添付図面によって明らかになるものである。
【発明の効果】
【００１１】
本発明によれば、記録媒体駆動部（ドライブ）のコストをアップさせずにシンプルかつ耐久性のある構造を有し、トレイカバーを傷つける危険性の少ないトレイのカバー押し上げ機構を実現することができる。
【発明を実施するための最良の形態】
【００１２】
以下、添付図面を参照して本発明の実施形態について説明する。ただし、本実施形態は本発明を実現するための一例に過ぎず、本発明を限定するものではないことに注意すべきである。また、各図において共通の構成については同一の参照番号が付されている。
【００１３】
＜薄型情報記録媒体用トレイの構成＞
図１は、カバー付きディスクトレイ１と薄型情報記録媒体用カートリッジ１６を示している。薄型情報記録媒体用カートリッジ１６には、薄型情報記録媒体（例えば、厚さ３００μｍ以下で、可撓性のある光フレキシブルディスク）１３がトレイ１に搭載され、媒体１３をそれぞれ搭載した複数のトレイ１が収容されている。この薄型情報記録媒体用カートリッジ１６は、後述する情報記録再生装置５１に装着される。そして、一枚一枚薄型情報記録媒体１３が取り出されて情報の記録再生動作に供される（詳細は後述する）。
【００１４】
カバー付トレイ１は、薄型のシート（例えば、ＰＥＴ材）で構成されたカバー１１を有している。そして、そのカバー１１は、トレイ１の後端部１５で一定の幅を持って固定（例えば、糊付け）されている。また、カバー付トレイ１の前端部には、後述するカバー剥離トリガー部材２１が貫通する２つの貫通孔１２と、後述するトレイ挿抜部材２２がフックするためのフック孔１４が設けられている。
【００１５】
＜カバー剥離動作とトレイ引き抜き動作＞
図２は、カバー１１の剥離（押し上げ）動作とトレイ１のカートリッジに対する挿抜動作の原理を示している。薄型情報記録媒体用カートリッジ１６が情報記録再生装置５１（図５参照）に装着されると、水平移動機構部６４（図５参照）によって駆動されるトレイ挿抜部材２２が薄型情報記録媒体用カートリッジ１６の開口部まで伸びてくる。そして、トレイ挿抜部材２２の先端部が、所望の薄型情報記録媒体１３が搭載されたトレイ１のフック孔１４にフックされる。続いて、トレイ挿抜部材２２がトレイ１を引き出す方向に水平移動し、所定のタイミングでカバー剥離トリガー部材２１が貫通孔１２に一時的に押し上げられ、それと共にカバー１１の端部が持ち上がる。カバー端部が持ち上がった状態でトレイ１の水平移動が続けられると、カバー１１の端部がカバー剥離ガイド２３によってめくり上げられる。このように、トレイ１の引き抜き動作と連動させてカバー１１を一瞬持ち上げて、持ち上げられたカバー１１をカバー剥離ガイド２３に引っ掛けることにより、トレイ１の水平移動（ローディング動作）と共にカバー１１が完全にめくり上がるようになっている。
【００１６】
このカバー剥離動作の詳細をさらに、図３及び４を用いて説明する。図３は、図２の構成に加えて、カバー剥離トリガー部材２１を一時的に（瞬間的に）持ち上げるためのリフト部材３１とリフト部材３１を動作させるリンク部２２１を備えたトレイ挿抜部材２２とを備えた構成を示している。また、図４は、トレイ１を引き出す際のカバー剥離トリガー部材２１、リフト部材３１及びトレイ挿抜部材のリンク部２２１の動作シーケンスを示している。なお、図４では、情報記録再生装置のローディング機構は図４の各図の左側にあるものとする。
【００１７】
図３において、リフト部材３１は、支持点４４（図４参照）で回転可能に情報記録再生装置５１の内部に取り付けられており、作用部３１１と係合部３１２が所定角度（「く」の字形状で、例えば９０度）をなすように構成されている。係合部３１２の方が作用部３１１よりも重いので、通常の状態（リンク部２１１が係合部３１２に作用していない状態）では、図３に示されるように、係合部３１２が下を向いている。トレイ挿抜部材２２のリンク部２２１は、水平移動する際にリフト部材３１の係合部３１２の端部に当る（係合する）位置に配置されている。従って、トレイ１を挿抜するときにリンク部２２１は往復動作（矢印Ａ方向）するが、往路（トレイを引き抜くとき）でも復路（トレイをカートリッジに挿入するとき）でもリンク部２２１はリフト部材３１の係合部３１２に当たるようになっている。
【００１８】
以上のような構成で実現されるカバー剥離動作のシーケンスについて、図４を参照して説明する。トレイ挿抜部材２２がトレイ１を引き出すとき、トレイ挿抜部材２２の移動と共にリンク部２２１が矢印Ｂの方向に移動し、その移動に従ってリンク部２２１がリフト部材３１の係合部３１２に当接する（図４（ａ））。リフト部材３１は支持点４４で回転可能に支持されているので、リンク部２２１の矢印Ｂへの移動によって、作用部３１１が矢印Ｃ方向に、係合部３１２が矢印Ｄ方向にそれぞれ回転移動する。このとき作用部３１１の回転移動によってカバー剥離トリガー部材２１は動作しない。
【００１９】
続いて、トレイ挿抜部材２２がトレイ１のフック孔１４に嵌合してトレイ１の引き抜き動作に入る。リンク部２２１が矢印Ｅの方向に移動すると、再度係合部３１２に当接する（図４（ｂ））。そのままリンク部２２１が水平移動するにつれて、リフト部材３１が矢印Ｆの方向に回転する。このとき作用部３１１は、ストッパ４２及び支点４１で支持されているカバー剥離トリガー部材２１を矢印Ｇ方向に押し上げる。押し上げられたカバー剥離トリガー部材２１の先端部がトレイ１の貫通孔１２を貫通し、カバー１１を持ち上げる（図４（ｃ））。
【００２０】
さらにリンク部２２１が矢印Ｅ方向に移動すると、リンク部２２１とリフト部材３１の係合部３１２との係合が解除されるので、リフト部材３１は矢印Ｈ方向に回転し、それに伴ってリフト部材３１の作用部３１１とカバー剥離トリガー部材２１との係合も解除される。カバー剥離トリガー部材２１は、弾性体４３（例えば、バネやゴム材等）によって情報記録再生装置５１に取り付けられているので、リフト部材３１の係合が解除されるとともに、矢印Ｉ方向に戻され、カバー１１の持ち上げ動作が終了する（図４（ｄ））。カバー剥離トリガー部材２１によってカバー１１の端部の下側にカバー剥離ガイド２３が入り込み、トレイ１の引き出し動作（矢印Ｅ方向への水平移動）に伴ってカバー１１がめくり上げられる。トレイ１が適切な位置（薄型情報記録媒体１３をローディングするのに適切な位置）まで引き出されたときには、カバー１１は完全にめくり上がった状態になっている。
【００２１】
＜カバー剥離ガイドの構成＞
図５に示されるように、トレイ１から剥がされたカバー１１は、トレイ１が進行するに従って、カバー剥離ガイド２３内を案内されて進行する。これにより、完全にカバー１１がトレイ１からめくり上がり、薄型情報記録媒体１３のローディングが可能となる。
【００２２】
そして、そのようなカバー１１の剥離を可能とするカバー剥離ガイド２３として、例えば、図６に示されるような構成を採ることができる。なお、図６は、理解を容易にするため、カバー１１の接触面のみを示している。つまり、カバー剥離ガイド２３は、圧延された金属（アルミニウムやステンレス等）で構成された２枚の湾曲したガイド面（上ガイド面２３１及び下ガイド面２３２）を備えている。
【００２３】
しかしながら、例えばアルミニウムで構成されたガイド２３を考えると、これらガイド面は平面をなしているので、カバー１１と両ガイド面２３１及び２３２との接触面積が大きい。また、アルミニウムの場合圧延するとヘアライン（鍛流線）が形成されるため、カバー１１をガイドする場合、カバー１１がヘアラインに引っ掛かってスムーズにガイドすることが困難である。ヘアラインと垂直な方向にアルミニウムを湾曲させてガイド面を形成しても良いが、ヘアラインと水平方向に湾曲させる場合と比べて加工が困難となる。
【００２４】
また、例えばステンレスで構成されたガイド２３を考えると、カバー１１と両ガイド面２３１及び２３２との接触面積が大きいため、静電気や湿気によってカバー１１がガイド面２３１又は２３２に吸着してしまう可能性がある。
【００２５】
そこで、本発明による実施形態のカバー剥離ガイド２３では、カバー１１と両ガイド面との接触面積を小さくし、ガイド面とカバー１１との間で生じる摩擦力を減少させるための工夫がなされている。例えば、図７に示されるように、カバー剥離ガイド２３の上下ガイド面を凹凸形状に構成する。このようにすることにより、上下ガイド面２３３及び２３４とカバー１１との接触面積を小さくすることができる。なお、カバー１１とガイド面との接触面積は、図６の場合と比較して１／２以下とするのが好ましい。また、図８に示されるように、上ガイド面２３３での凹凸と下ガイド面２３４の凹凸は同位置に形成されるのが好ましい。上下ガイド面の幅によっては上下ガイド面で凸部と凹部を対向させてもいいが、ガイド面の幅が狭いとカバー１１を傷つけてしまう危険性が高くなる。よって、凹部と凸部は対向させない方が良い。
【００２６】
別の態様として、カバー剥離ガイド２３の上下ガイド面２３３及び２３４を櫛型（フォーク）形状に形成してもよい。この場合も、カバー１１とガイド面との接触面積は、図６の場合と比較して１／２以下とするのが好ましい。
【００２７】
また、別の態様として、カバー剥離ガイド２３の上下ガイド面に、規則的な凹凸（図８参照）ではなく、ランダムに凹凸を設けたり、凸部間の間隔を広く取ってもよい。
【００２８】
さらに、ガイド面の湾曲の状態は、記録再生装置のサイズに従って決定することができ、円弧形状だけでなく、「Ｓ」字形状、「Ｊ」字形状や直線形状等を採用することができる。
【００２９】
以上のように、カバー剥離ガイド部２３を構成することにより、薄型情報記録媒体１３を収納したカートリッジ１６からトレイ１を引き出したとき、そのトレイ１に一端で固定されたカバーシート１１が、同時に連動して記録再生装置内の案内板に沿って擦らせて動くときに摩擦が少なく動けるため、トレイを引く時の抵抗成分になったり、また、無理に擦らせてクラッシュさせたりする危険を回避できる。また、その方法が、案内板の表面形状を変形させているだけで、別途、特殊な機構を追加する必要が無いため、結果、シンプルな構造になり安価で小スペースであり、停電にも影響されない。
【００３０】
＜情報記録再生装置の構成及び記録媒体のローディング動作＞
図９は、情報記録再生装置５１の概略構成例を示している。情報記録再生装置５１は、筐体５２と、筐体５２に設けられたカートリッジ挿入口５３と、薄型情報記録媒体１３を収納したトレイ１と、トレイ１を多数枚積層収納したカートリッジ１６と、カートリッジ１６を固定し上下方向に移動させるカートリッジ移動台５４と、カートリッジ１６からトレイ１を水平方向に引き出し又は収納するための水平移動機構６４と、水平移動機構６４に設けたトレイ１を引掛けるためのトレイ挿抜部材２２と、水平移動機構６４を水平方向に移動するための駆動部６５と、トレイ１のカバー１１を引き剥がすためのカバー剥離ガイド２３と、トレイ１をトレイ挿抜部材２２に位置決めするためのトレイ検出センサ５６と、水平移動機構６４と駆動部６５とトレイ検出センサ５６を設け、引き出したトレイ１を載せて置くための固定ベース６６と、薄型情報記録媒体１３とターンテーブル（ガラス円板）６０をクランプ部５９に固定し回転させるためのスピンドルモータ５８と、薄型情報記録媒体１３のデータの記録再生を行う記録再生部６１と、記録再生部６１を水平方向に移動するための駆動部６２と、薄型情報記録媒体１３をターンテーブル６０から剥離させるための振動機構７０と、スピンドルモータ５８と記録再生部６１と駆動部６２および振動機構７０を搭載し上下方向に移動する記録再生部移動台６３と、薄型情報記録媒体１３をクランプ部５９に固定するキャップ６７と、キャップ６７を上下左右に移動できるようにガイドするキャップホルダ６９と、キャップホルダ６９を搭載し上下方向に移動するクランプ部移動台６８と、筐体５２に固定されカートリッジ移動台５４の上下方向の移動を支持する支持部材５５と、筐体５２に固定され記録再生部移動台６３とクランプ部移動台６８の上下方向の移動を支持する支持部材５７と、を備えている。なお、カートリッジ移動台５４と記録再生部移動台６３およびクランプ部移動台６８は、図示しない移動機構によって駆動力が与えられ移動する。また、薄型情報記録媒体１３と記録再生部６１との間隔は、おおよそ０．６５ｍｍ〜３．５ｍｍが好適である。また、ターンテーブル（ガラス円板）の厚さは、おおよそ０．５ｍｍ〜０．６ｍｍが好適である。
【００３１】
次に、トレイ１をカートリッジ１６から引き出し薄型情報記録媒体１３をクランプ部５９にセットするロード動作を説明する。まず、カートリッジ移動台５４を移動しながらトレイ検出センサ５６でトレイ１の位置を検出して目標のトレイ１をトレイ挿抜部材２２の水平レベルに位置決めする。次に、水平移動機構６４を移動してトレイ挿抜部材２２をカートリッジ１６の積層されたトレイ１の隙間に挿入しトレイ１のフック孔１４に引掛ける。次に、水平移動機構６４を移動しカートリッジ１６からトレイ１を引き出し固定ベース６６の所定の位置に位置決めする。この引き出し動作時、トレイ１のカバー１１はカバー剥離ガイド２３に接触し上方に引き剥がされる。また、図９のように薄型情報記録媒体１３は、カートリッジ１６から全て引き出されているがトレイ１の一部はカートリッジ１６に残る構成とする。次に、記録再生部移動台６３を下方に移動させ薄型情報記録媒体１３のクランプ穴１１にクランプ部５９を挿入する。次に、クランプ部移動台６８を上方に移動させクランプ部５９の磁力によりキャップ６７をクランプ部５９に吸着して薄型情報記録媒体１３を固定する。この状態でキャップ６７は、キャップホルダ６９と接触しない状態となる。次に、記録再生部移動台６３とクランプ部移動台６８を上方に移動させ薄型情報記録媒体１３がトレイ１に接触しない所定の位置に移動する。これは、自重で垂れ下がった薄型情報記録媒体１３をトレイ１に接触しない位置に移動してから回転させるためである。次に、スピンドルモータ５８を起動し薄型情報記録媒体１３を回転する。薄型情報記録媒体１３は、空気流によりターンテーブル６０に押付けられ面ぶれのない状態で回転する。次に、記録再生部６１により薄型情報記録媒体１３の記録再生を実行する。なお、薄型情報記録媒体１３の面ぶれ低減に関して、ターンテーブル６０の内周側に穴を設け空気流をターンテーブル６０と薄型情報記録媒体１３の間に流入させることでさらに効果がある。また、ターンテーブル６０の下側に薄型情報記録媒体１３を固定する構成は、記録再生部の光ビームは薄型情報記録媒体１３に焦点を結ぶように構成されているので、ターンテーブル６０の上側に塵が付着し場合でもターンテーブル６０の上側の位置では、光スポットの面積が大きいため光量の低下が少なく記録再生のエラーを低減できる。
【００３２】
＜記録媒体のアンローディング動作（トレイ収納動作を含む）＞
薄型情報記録媒体１３を記録再生状態からカートリッジ１６に収納するアンローディング動作を説明する。まず、記録再生状態からスピンドルモータ５８を停止したのち、振動機構７０でターンテーブル６０を叩く又は振動させ薄型情報記録媒体１３をターンテーブル６０から剥離させる。次に、記録再生部移動台６３とクランプ部移動台６８を下方に移動させ薄型情報記録媒体１３をトレイ１に接触させる。次に、クランプ部移動台６８を下方に移動させクランプ部５９からキャップ６７を切り離し待機状態に移動する。これにより、薄型情報記録媒体１３はトレイ１に受け渡される。次に、記録再生部移動台６３を上方に移動させ待機状態に移動する。次に、水平移動機構６４を移動させトレイ挿抜部材２２でトレイ１を押すようにして移動させカートリッジ１６に収納する。このトレイ１がカートリッジ１６の中に挿入されるに連れてカバー１１は、トレイ１に戻されて薄型情報記録媒体１３を被うようになる。次に、水平移動機構６４を待機状態に戻す。
【００３３】
ここで、図１０を用いて、アンローディング動作によってカバー１１がトレイ１に戻るときのシーケンスを詳細に説明する。なお、図１０では、情報記録再生装置のローディング機構は、図１０の各図左側にあるものとする。薄型情報記録媒体１３に対する情報の記録又は再生が終了すると、上述のように記録媒体１３がトレイ１に戻され、トレイ挿抜部材２２がトレイ１をカートリッジ１６に向かって移動させる。トレイ１がカートリッジ１６方向（矢印Ｊ方向）に移動するに従って、カバー剥離ガイド２３によって完全にめくられていたカバー１１が徐々にトレイ１に被さるようになる（図１０（ａ））。復路の場合（トレイをカートリッジに挿入するとき）でも、トレイ挿抜部材２２のリンク部２２１はリフト部材３１の係合部３１２に当り、リンク部２２１の移動に伴ってリフト部材３１が矢印Ｋ方向に回転する（図１０（ｂ））。この場合、リフト部材３１の作用部３１１はカバー剥離トリガー部材２１には作用せず影響を与えない。そして、さらにリンク部２２１が移動して係合部３１２との係合が解除されると、リンク部材３１は矢印Ｌ方向に回転して元の位置に戻る（図１０（ｃ））。従って、トレイ１の移動によってスムーズに、つまりカバー剥離トリガー部材２１の先端部がトレイ１の貫通孔１２から飛び出さずに、カバー１１がトレイ１に被さるようになる。
【００３４】
このように、カートリッジ１６にトレイ１に収められ積層された薄型情報記録媒体１３を損傷することなくランダムに取り出し、薄型情報記録媒体１３の面ぶれのない状態でデータを高精度で記録再生したのち、カートリッジ１６の元の場所に、高速に、正確に薄型情報記録媒体１３を損傷することなく戻すことができる。
【００３５】
＜まとめ＞
本実施形態では、カートリッジ１６からカバー付トレイ１を取り出し、かつ、カバー付トレイ１をカートリッジ１６に収納する機構（トレイローディング手段）が設けられており、この機構は、カートリッジ１６と記録再生部における記録再生動作位置との間で、カバー付トレイ１を移動させる機構２２及び６４と、カバー付トレイ１の移動に対応して、カバー付トレイ１のカバー１１を剥離し、薄型情報記録媒体１３を露出させる機構を有している。つまり、カバー付トレイ１の移動に従って、カバー１１がカバー剥離ガイド部２３にガイドされ、薄型情報記録媒体１３が露出される。このカバー剥離ガイド部２３のガイド面２３３及び２３４は、単なる湾曲した面で構成されるのではなく、凹凸形状或いは櫛型形状等をなし、ガイド面とカバー１１との接触面積がガイド面全体の面積よりも小さくなっている。これにより、ガイド面２３３及び２３４とカバー１１との摩擦が少なくなり、カバー１１がガイド面に引っ掛かったり、吸着したりする可能性が極めて少なくなるのである。
【００３６】
また、カバーを剥離するための手段は、カバー１１の開口端をカバー付トレイ１から持ち上げる手段と、カバー付トレイ１の移動に従って持ち上げられたカバー１１の下に入り込み、カバー付トレイ１の記録再生動作位置への移動に伴ってカバー１１を剥離して薄型情報記録媒体１３を露出させるカバー剥離ガイド２３と、を有している。カバー１１をめくり上げるためのきっかけを与えればカバー剥離ガイド２３によって容易にカバー１１をめくり上げることができるので、簡単な構成でカバー剥離機構を実現することができ、記録再生装置のコストを抑えることができる。
【００３７】
カバー付トレイ１は、その前端部に貫通孔１２を有する。また、カバーを持ち上げる手段は、貫通孔１４にその先端部が挿入され、カバー１１の開口端を持ち上げるように作用するカバー剥離トリガー部材２１と、カバー付トレイ１がそのトリガー部材の設置位置を通過するときのみカバー剥離トリガー部材２１の先端部が貫通孔１４に導入されるようにカバー剥離トリガー部材２１を一時的に押し上げるリフト部材３１と、によって構成されている。このように２つの部材を組み合せて（シンプルな構成で）カバーを持ち上げる手段を実現するので、カバーを持ち上げるためだけにモーターやロボットを用いる必要がなく、装置のコストを抑えることができる。
【００３８】
より詳細には、トレイを移動させる機構２２及び６４には、移動中にリフト部材３１と一時的に係合するリンク部２２１が設けられ、リンク部の移動によってリフト部材が作動し、カバー剥離トリガー部材２１が押し上げられ、その先端部が貫通孔１４に導入される。また、リフト部材３１は軸支（４４）され、カバー剥離トリガー部材を押し上げる作用部３１１とリンク部２２１が係合する係合部３１２とを有し、さらに、それらが「く」の字形状をなしている。そして、リンク部２２１が係合部３１２に係合するときは、リンク部材３１は軸回転するようになっている。これによって、トレイを移動させる機構がカバー付トレイ１を引き出すときのみ、リンク部材２２１はカバー剥離トリガー部材２１を押し上げ、カバー付トレイ１をカートリッジ１６に収納するときには、リンク部材２２１はカバー剥離トリガー部材２１に作用しない。これをより確実に実現するには、例えば、「く」の字形状のリフト部材３１は、リンク部２２１が係合していない通常状態においては、係合部３１２が垂直下方向に向き、作用部３１１が記録再生部のある方向を向いているようにすればよい。このようにすることによって、必要なときにのみカバーを押し上げる部材を動作させることができ、無駄な動作を回避することができる。つまり、カートリッジ１６からカバー付きトレイ１を抜くときにはカバーを剥離させながら剥離動作し、逆に、カートリッジ１６にトレイ１を収納させるときには剥離動作が作動しないことで、スムーズにカバー１１を収納し、トレイ１の出し入れの信頼性を高めることが出来る。その結果、シンプルで耐久性が高く、また、部品点数が少ないため安価な機構にすることができ、量産にも向く機構を実現できる。さらに、装置の安定性を向上させることができる。
【図面の簡単な説明】
【００３９】
【図１】薄型情報記録媒体用カートリッジとカバー付トレイの構造を示す図である。
【図２】カバーの押し上げと引き抜きの原理を説明するための図である。
【図３】カバー付トレイの挿抜機構の詳細な構成を示す図である。
【図４】カバー付トレイの引き出し時の動作を説明するためのシーケンス図である。
【図５】カバーがカバー剥離ガイド部に導入される様子を示す断面図である。
【図６】本発明がなされる以前のカバー剥離ガイド部の概略構成を示す図である。
【図７】本発明のカバー剥離ガイド部の概略構成を示す図である。
【図８】カバー剥離ガイド部のガイド面の断面図である。
【図９】本発明の実施形態による情報記録再生装置の構成を示す図である。
【図１０】カバー付トレイの収納時の動作を説明するためのシーケンス図である。
【図１】
2008293590.tif 000003
【図２】
2008293590.tif 000004
【図３】
2008293590.tif 000005
【図４】
2008293590.tif 000006
【図５】
2008293590.tif 000007
【図６】
2008293590.tif 000008
【図７】
2008293590.tif 000009
【図８】
2008293590.tif 000010
【図９】
2008293590.tif 000011
【図１０】
2008293590.tif 000012